(57)【特許請求の範囲】
【請求項１】
複数のコンタクトを保持するハウジングと、
前記ハウジングに保持され、相手側コネクタが前記ハウジングに嵌合していないとき隣接する前記コンタクト同士を短絡するとともに、前記相手側コネクタが前記ハウジングに嵌合したとき前記相手側コネクタの短絡解除用突起部によって前記コンタクト同士の短絡が解除される短絡部材とを備えるコネクタにおいて、
前記ハウジングは、
前記ハウジングの左右方向に沿って配置され、前記複数のコンタクトがそれぞれ前記ハウジングの後方から挿入されるコンタクト収容部と、
前記コンタクト収容部の下方又は上方に配置される短絡部材収容部と、
前記コンタクト収容部に挿入された前記コンタクトと係合し、前記コンタクトの前記ハウジングの後方への抜けを阻止する弾性変形可能なロック部と
を有し、
前記ロック部は、前記短絡部材収容部から前記コンタクト収容部へ斜めに延びる片持ち梁状であり、
前記短絡部材が、前記ロック部の前方に配置され、
前記短絡部材が、隣接する前記コンタクトに接触する接触部を有し、
前記接触部の前記ロック部側の端部と前記ロック部の前記接触部側の端部とが、所定の間隔をおいてほぼ前記ハウジングの前後方向に沿って並んでおり、
前記短絡解除用突起部の長さが所定値を越えているとき、その短絡解除用突起部を前記短絡部材収容部に導く面が、前記ロック部に形成され、
前記短絡部材収容部が前記コンタクト収容部の下方に配置されているとき、前記導く面が前記ロック部の下面にあり、
前記短絡部材収容部が前記コンタクト収容部の上方に配置されているとき、前記導く面が前記ロック部の上面にある
ことを特徴とするコネクタ。
【請求項２】
前記導く面は、前記相手側コネクタが前記ハウジングに嵌合するとき、前記短絡解除用突起部の挿入軌道上に位置することを特徴とする請求項１に記載のコネクタ。
【請求項３】
前記ロック部の前記接触部側の端部は、前記コンタクトが前記コンタクト収容部に挿入されたとき、そのコンタクトと係合する鉤形の切欠部になっていることを特徴とする請求項１又は２記載のコネクタ。
【請求項４】
前記切欠部の先端部がくさび状に尖っており、
前記切欠部が前記コンタクトと係合したとき、前記切欠部の先端部はそのコンタクトの表面に接触していることを特徴とする請求項３に記載のコネクタ。
【請求項５】
前記コンタクトが前記相手側コネクタのピン型コンタクトを受け容れるソケット型であることを特徴とする請求項１〜４のいずれか１項に記載のコネクタ。
【発明の詳細な説明】
【技術分野】
【０００１】
この発明はコネクタに関する。
【背景技術】
【０００２】
従来、図１５、図１６、図１７に示すように、ハウジング９０４と、ハウジング９０４内に実装された端子９１２と、ハウジング９０４内に実装され、ハウジング９０４に挿入完了したときに係合するシャントコンタクト９１４とを備える電気コネクタが知られている（下記特許文献１参照）。なお、図１５、図１６、図１７は下記特許文献１の図１、図２、図３に対応する。
【０００３】
電気コネクタは、更に、キャビティ９１０内に延びるロック突起９２８を備えている。ロック突起９２８はランス９３０の自由端９３４の近傍に配置されている。ランス９３０はハウジング９０４に設けられている。
【０００４】
図１７に示すように、端子９１２がキャビティ９１０に挿入されていないとき、ランス９３０の自由端９３４にシャントコンタクト９１４の自由端９４４が接触している。
【０００５】
図１５に示すように、端子９１２がキャビティ９１０に挿入されると、端子９１２がロック突起９２８を押し上げるためランス９３０が弾性変形し、ランス９３０の自由端９３４がシャントコンタクト９１４の自由端９４４を押し上げるためシャントコンタクト９１４のばねアーム９４０が弾性変形する。このとき、端子９１２の接触部９１８とシャントコンタクト９１４の接触突起９４６とは離れている。
【０００６】
図１６に示すように、端子９１２のキャビティ９１０への挿入が完了すると、ランス９３０のロック突起９２８が端子９１２の切欠９２２と係合し、ランス９３０が変形前の状態に戻り、シャントコンタクト９１４の接触突起９４６が端子９１２の接触部９１８に接触する。接触突起９４６が端子９１２に接触すると、隣接する端子９１２同士がシャントコンタクト９１４を介して短絡する。
【０００７】
端子９１２のキャビティ９１０への挿入が完了したとき、シャントコンタクト９１４の自由端９４４はランス９３０の自由端９３４の上方に位置し、シャントコンタクト９１４のばねアーム９４０の接触突起９４６とランス９３０の自由端９３４とがハウジング９０４の前後方向に沿って並び、ばねアーム９４０の接触突起９４６とランス９３０の自由端９３４とは互いに接近している（図１６参照）。
【０００８】
この電気コネクタに図示しない相手側コネクタを嵌合したとき、相手側コネクタがハウジング９０４のキャビティ９５０に入り込み、相手側コネクタの偏倚手段（図示せず）によってシャントコンタクト９１４のばねアーム９４０が偏倚し、ばねアーム９４０の接触突起９４６が端子９１２から離れる。
【先行技術文献】
【特許文献】
【０００９】
【特許文献１】特表２００１−５１１２９９号公報
【発明の概要】
【発明が解決しようとする課題】
【００１０】
上述のように、端子９１２のキャビティ９１０への挿入が完了したとき、シャントコンタクト９１４の自由端９４４はランス９３０の自由端９３４の上方に位置し、シャントコンタクト９１４のばねアーム９４０の接触突起９４６とランス９３０の自由端９３４とがハウジング９０４の前後方向に沿って並び、ばねアーム９４０の接触突起９４６とランス９３０の自由端９３４とは互いに接近している（図１６参照）。
【００１１】
したがって、ばねアーム９４０の接触突起９４６を端子９１２から離すには、相手側コネクタの偏倚手段の先端をランス９３０の自由端９３４の近傍に到達させなければならない。
【００１２】
ところが、相手側コネクタの偏倚手段の長さが例えば製造誤差により設計値より大きいと、ランス９３０の自由端９３４が損傷するおそれがある。
【００１３】
この発明はこのような事情に鑑みてなされたもので、その課題は、ロック部の損傷を防ぐとともに、コネクタを低背化することである。
【課題を解決するための手段】
【００１４】
上述の課題を解決するため請求項１に記載の発明は、複数のコンタクトを保持するハウジングと、前記ハウジングに保持され、相手側コネクタが前記ハウジングに嵌合していないとき隣接する前記コンタクト同士を短絡するとともに、前記相手側コネクタが前記ハウジングに嵌合したとき前記相手側コネクタの短絡解除用突起部によって前記コンタクト同士の短絡が解除される短絡部材とを備えるコネクタにおいて、前記ハウジングは、前記ハウジングの左右方向に沿って配置され、前記複数のコンタクトがそれぞれ前記ハウジングの後方から挿入されるコンタクト収容部と、前記コンタクト収容部の下方又は上方に配置される短絡部材収容部と、前記コンタクト収容部に挿入された前記コンタクトと係合し、前記コンタクトの前記ハウジングの後方への抜けを阻止する弾性変形可能なロック部とを有し、前記ロック部は、前記短絡部材収容部から前記コンタクト収容部へ斜めに延びる片持ち梁状であり、前記短絡部材が、前記ロック部の前方に配置され、前記短絡部材が、隣接する前記コンタクトに接触する接触部を有し、前記接触部の前記ロック部側の端部と前記ロック部の前記接触部側の端部とが、所定の間隔をおいてほぼ前記ハウジングの前後方向に沿って並んでおり、前記短絡解除用突起部の長さが所定値を越えているとき、その短絡解除用突起部を前記短絡部材収容部に導く面が、前記ロック部に形成され、前記短絡部材収容部が前記コンタクト収容部の下方に配置されているとき、前記導く面が前記ロック部の下面にあり、前記短絡部材収容部が前記コンタクト収容部の上方に配置されているとき、前記導く面が前記ロック部の上面にあることを特徴とする。
【００１７】
請求項２に記載の発明は、請求項１に記載のコネクタにおいて、前記導く面は、前記相手側コネクタが前記ハウジングに嵌合するとき、前記短絡解除用突起部の挿入軌道上に位置することを特徴とする。
【００１８】
請求項３に記載の発明は、請求項１又は２記載のコネクタにおいて、前記ロック部の前記接触部側の端部は、前記コンタクトが前記コンタクト収容部に挿入されたとき、そのコンタクトと係合する鉤形の切欠部になっていることを特徴とする。
【００１９】
請求項４に記載の発明は、請求項３に記載のコネクタにおいて、前記切欠部の先端部がくさび状に尖っており、前記切欠部が前記コンタクトと係合したとき、前記切欠部の先端部はそのコンタクトの表面に接触していることを特徴とする。
【００２０】
請求項５に記載の発明は、請求項１〜４のいずれか１項に記載のコネクタにおいて、前記コンタクトが前記相手側コネクタのピン型コンタクトを受け容れるソケット型であることを特徴とする。
【発明の効果】
【００２１】
この発明によれば、ロック部の損傷を防ぐとともに、コネクタを低背化することができる。
【図面の簡単な説明】
【００２２】
【図１】図１はこの発明の一実施形態に係るコネクタの斜視図である。
【図２】図２は図１に示すコネクタの一部の正面図である。
【図３】図３は図１に示すコネクタのコンタクトと短絡部材との位置関係を示す斜視図である。
【図４】図４は図１に示すコネクタの一部分の断面図である。
【図５】図５は図１に示すコネクタの短絡部材を斜め前方から見た斜視図である。
【図６】図６は図１に示すコネクタの短絡部材を斜め後方から見た斜視図である。
【図７】図７は図１に示すコネクタのコンタクトを斜め下方から見た斜視図である。
【図８】図８は図１に示すコネクタのコンタクトを斜め上方から見た斜視図である。
【図９】図９は図１に示すコネクタのハウジングにコンタクトを挿入している途中の状態を示すコネクタの一部分の断面図である。
【図１０】図１０は図１に示すコネクタに相手側コネクタを嵌合している途中の状態を示すコネクタの一部分の断面図である。
【図１１】図１１は図１に示すコネクタに相手側コネクタが嵌合され、コンタクトの短絡状態が解除された状態を示すコネクタの一部分の断面図である。
【図１２】図１２は図１に示すコネクタの相手側コネクタの斜視図である。
【図１３】図１３は図１２に示す相手側コネクタの一部の正面図である。
【図１４】図１４は図１２に示す相手側コネクタの一部を斜め前方から見た拡大斜視図である。
【図１５】図１５は従来のコネクタの断面図であって、ハウジングのキャビティに端子を挿入する途中の状態を示す図である。
【図１６】図１６は図１５に示すコネクタの断面図であって、端子の挿入が完了した状態を示す図である。
【図１７】図１７は図１５に示すコネクタの断面図であって、端子がハウジングのキャビティに挿入されていない状態の図である。
【発明を実施するための形態】
【００２３】
以下、この発明の実施の形態を図面に基づいて説明する。
【００２４】
図１、図４に示すように、コネクタ１０はハウジング１３と短絡部材１５とを備える。
【００２５】
ハウジング１３は相手側コネクタ２０（図１２参照）のハウジング２３と嵌合する。
【００２６】
短絡部材１５は、相手側コネクタ２０のハウジング２３がハウジング１３と嵌合していないとき、隣接するコンタクト１１同士を短絡する（図２、図３参照）。コンタクト１１にはケーブル１８が結線され（図４参照）、ケーブル１８は図示しないエアバッグの着火装置に接続されている。また、短絡部材１５は相手側コネクタ２０がハウジング１３に嵌合したとき、相手側コネクタ２０の短絡解除用突起部２３１によって、隣接するコンタクト１１の短絡が解除される（図１１参照）。
【００２７】
ハウジング１３は複数のコンタクト収容部１３１と複数の短絡部収容部１３２と複数のロック部１３３とを有する。
【００２８】
複数のコンタクト収容部１３１はハウジング１３の下部に左右方向ＤＲに沿って配置されている。コンタクト収容部１３１はハウジング１３の前後方向ＤＦに沿って延びている。コンタクト収容部１３１には複数のコンタクト１１が収容される。
【００２９】
複数の短絡部収容部１３２はコンタクト収容部１３１の下方に配置され、ハウジング１３の前後方向ＤＦへ延びている。短絡部材収容部１３２には短絡部材１５が収容されている。また、短絡部材１５はロック部１３３の前方に位置している。短絡部収容部１３２はコンタクト収容部１３１に通じている。
【００３０】
ロック部１３３は、短絡部材収容部１３２からコンタクト収容部１３１へ斜めに延びる片持ち梁状である。ロック部１３３の固定端は短絡部材収容部１３２の後部の内壁に支持されている。ロック部１３３は、ハウジング１３の後方からコンタクト収容部１３１に挿入されたコンタクト１１と係合し、コンタクト１１のハウジング１３の後方への抜けを阻止する。ロック部１３３の接触部１５３側端部は、コンタクト１１をコンタクト収容部１３１に挿入したとき、そのコンタクト１１の角筒部１１１ａの底面部の後縁部と係合する鉤形の切欠部１３３ａになっている。
【００３１】
ロック部１３３の切欠部１３３ａの先端部はくさび状に尖っている。ロック部１３３の切欠部１３３ａがコンタクト１１の角筒部１１１ａの底面部の後縁部と係合したとき、切欠部１３３ａの先端部はコンタクト１１の角筒部１１１ａの底面部（コンタクト１１の表面）に接触している（図４参照）。このとき、短絡部材収容部１３２に臨むロック部１３３のガイド面（導く面）１３３ｂがハウジング１３の前後方向ＤＦに対して傾いている。ロック部１３３のガイド面１３３ｂは、相手側コネクタ２０がハウジング１３に嵌合したときの短絡解除用突起部２３１の挿入軌道上に位置する。
【００３２】
ハウジング１３の後部にはコンタクト収容部１３１と直交するようにリテーナ本体収容部１３５が形成されている。リテーナ本体収容部１３５には、後述するリテーナ１７のリテーナ本体１７１が収容される。また、ハウジング１３の底面にはストッパ部収容部１３６が形成されている。ストッパ部収容部１３６はリテーナ本体収容部１３５に連なっている。ストッパ部収容部１３６にはリテーナ１７のストッパ部１７２が収容される。
【００３３】
ハウジング１３の前面部１３ａにはコンタクト収容部１３１に対向するように孔１３４が形成されている。孔１３４は誘い面１３４ａを有する。
【００３４】
図５、図６に示すように、短絡部材１５は１つの固定部１５１と１対のばね部１５２と１対の接触部１５３とを有する。固定部１５１はほぼ板状であり、ハウジング１３の短絡部収容部１３２に圧入される。ばね部１５２はほぼＪ字形であり、固定部１５１に連なる。接触部１５３はほぼ円弧状であり、ばね部１５２に連なる。接触部１５３はばね部１５２の付勢力によってコンタクト収容部１３１に収容されたコンタクト１１の角筒部１１１ａに付勢される（図４参照）。
【００３５】
コンタクト１１がコンタクト収容部１３１に収容されたとき(図４参照)、短絡部材１５の接触部１５３のロック部１３３側端部とロック部１３３の接触部１５３側端部（切欠部１３３ａ）とは所定の間隔Ｇ（図１０参照）をおいてほぼ前後方向ＤＦに沿って並んでいる。
【００３６】
リテーナ１７はリテーナ本体１７１とストッパ部１７２とを有する。リテーナ本体１７１はリテーナ本体収容部１３５にハウジング１３の高さ方向ＤＨへ移動可能に収容されている。リテーナ本体１７１は、ロック位置（ストッパ部１７２がストッパ部収容部１３６に収容される位置・図１０参照）と仮止め位置（コンタクト収容部１３１と孔１７１ａとがハウジング１３の前後方向ＤＦに沿って並ぶ位置・図４参照）との間で移動可能である。リテーナ本体１７１には、コンタクト１１を通すための複数の孔１７１ａ（図４参照）が形成されている。孔１７１ａはリテーナ本体１７１が仮止め位置にあるとき（図４、図９参照）、コンタクト収容部１３１と対向する。ストッパ部１７２はリテーナ本体１７１の下端に連なる。ストッパ部１７２はリテーナ本体１７１がロック位置にあるとき（図１０、図１１参照）、ストッパ部収容部１３６に収容される。
【００３７】
図７、図８に示すように、コンタクト１１はソケット型である。コンタクト１１はソケット部１１１と結線部１１２と連結部１１３とを有する。ソケット部１１１は角筒部１１１ａと接触部１１４とを有する。角筒部１１１ａには相手側コネクタ２０のピンコンタクト２１が挿入される。接触部１１４は角筒部１１１ａ内に設けられ、主接触部１１４ａと副接触部１１４ｂと連結部１１４ｃとを有する。主接触部１１４ａはソケット部１１１に挿入されたピンコンタクト２１に接触する。副接触部１１４ｂはピンコンタクト２１に接触して撓んだ主接触部１１４ａを受け止め、主接触部１１４ａをピンコンタクト２１に押しつける。結線部１１２にはケーブル１８が結線される。連結部１１３はソケット部１１１と結線部１１２とを連結する。連結部１１３はストッパ片１１３ａと突出片１１３ｂとを有する。ストッパ片１１３ａと突出片１１３ｂはソケット部１１１の角筒部１１１ａの底面よりも下方へ突出する。ストッパ片１１３ａと突出片１１３ｂはハウジング１３に形成された図示しない溝に挿入される。連結部１１４ｃは主接触部１１４ａと副接触部１１４ｂとをソケット部１１１の角筒部１１１ａに連結する。
【００３８】
図１２、図１１に示すように、相手側コネクタ２０は複数のピンコンタクト２１とハウジング２３とを備える。
【００３９】
ピンコンタクト２１はハウジング２３の左右方向へ等間隔に並べられている。
【００４０】
ハウジング２３は２つのコネクタ１０を受け容れる。ハウジング２３には、複数の短絡解除用突起部２３１が形成されている。隣接する２つのピンコンタクト２１の下方に１つの短絡解除用突起部２３１が位置する（図１３、図１４参照）。
【００４１】
コネクタ１０を組み立てるには、短絡部材１５をハウジング１３の前方から短絡部材収容部１３２に圧入すればよい（図９参照）。リテーナ１７は予めハウジング１３に装着されている。
【００４２】
次に、コネクタ１０の使用方法の一例を説明する。
【００４３】
まず、リテーナ１７を仮止め位置にセットし、ケーブル１８が結線されたコンタクト１１をハウジング１３の後方からコンタクト収容部１３１へ挿入する（図９参照）。このとき、ロック部１３３はコンタクト１１の角筒部１１１ａの底面によって押され、下方へ撓む。したがって、ロック部１３３に妨げられずにコンタクト１１をコンタクト収容部１３１へ挿入できる。
【００４４】
コンタクト１１がコンタクト収容部１３１に挿入され、コンタクト１１の角筒部１１１ａがロック部１３３を乗り越えたとき（図４参照）、ロック部１３３が上方へ撥ね上がり、ロック部１３３の切欠部１３３ａが角筒部１１１ａの底面部の後縁部に引っ掛かる。その結果、コンタクト１１はロック部１３３によってロックされ、コンタクト１１のハウジング１３の後方への動きが阻止される。
【００４５】
その後、リテーナ１７をロック位置にスライドさせる。コンタクト１１がハウジング１３のコンタクト収容部１３１に完全に挿入されると、短絡部材１５の２つのばね部１５２が弾性変形し、２つの接触部１５３が、隣接するコンタクト１１の角筒部１１１ａの底面にそれぞれ一定の接触圧力で接触し、隣接するコンタクト１１が短絡する。この短絡状態が解除されなければエアバッグの着火装置が作動しない。したがって、短絡しているコンタクトの一方に誤って信号が印加したとしてもエアバッグの着火装置は作動しない。
【００４６】
図９に示すように、コンタクト１１がコンタクト収容部１３１に完全に挿入されていないとき、コンタクト１１のストッパ片１１３ａはリテーナ本体収容部１３５内にある。したがって、作業者がリテーナ１７をロック位置に移動させようとしても、リテーナ１７を移動させることができないので、作業者はコンタクト１１がコンタクト収容部１３１に完全に挿入されていないことに気づく。また、コンタクト１１がコンタクト収容部１３１に完全に挿入されていないとき、リテーナ１７のストッパ部１７２がストッパ部収容部１３６に収容されておらず、ストッパ部１７２がハウジング１３の底面から突出している（図９参照）。したがって、作業者が相手側コネクタ２０をコネクタ１０のハウジング１３に嵌合させようとしても、相手側コネクタ２０のハウジング２３（図１０参照）がストッパ部１７２に突き当たるので、作業者はコンタクト１１がコンタクト収容部１３１に完全に挿入されていないことに気づく。
【００４７】
相手側コネクタ２０にコネクタ１０を嵌合すると、図１０に示すように、相手側コネクタ２０のピンコンタクト２１はコネクタ１０のハウジング１３の孔１３４を通じてコンタクト１１のソケット部１１１に挿入され、また、相手側コネクタ２０のロック解除片２３１はハウジング１３の短絡部材収容部１３２に挿入される。
【００４８】
相手側コネクタ２０にコネクタ１０が完全に嵌合されたとき、ピンコンタクト２１はコンタクト１１の主接触部１１４ａに接触し、主接触部１１４ａを下方へ押し込み、主接触部１１４ａは副接触部１１４ｂに下方へ押し込む。その結果、主接触部１１４ａと副接触部１１４ｂとに復帰力が生じ、その復帰力により主接触部１１４ａがピンコンタクト２１に強く接触する（図１１参照）。
【００４９】
また、相手側コネクタ２０の短絡解除用突起部２３１が短絡部材１５の接触部１５３とコンタクト１１の角筒部１１１ａとの間に入り、隣接するコンタクト１１の短絡状態が解除される。
【００５０】
この実施形態のコネクタ１０によれば、短絡解除用突起部２３１が例えば製造誤差により設計値より長かったとしても、短絡部材１５の接触部１５３のロック部１３３側端部とロック部１３３の切欠部１３３ａとが所定の間隔Ｇをおいてほぼハウジング１３の前後方向ＤＦに沿って並んでいるので、短絡解除用突起部２３１がロック部１３３に突き当たるのを回避することができ、ロック部１３３の損傷を防ぐことができる。
【００５１】
もし、相手側コネクタ２０の短絡解除用突起部２３１の長さが、所定値（相手側コネクタ２０とコネクタ１０とを嵌合したとき短絡解除用突起部２３１の先端がロック部１３３の切欠部１３３ａに達しない短絡解除用突起部２３１の長さ）を越えていたとしても、短絡解除用突起部２３１の先端部をロック部１３３のガイド面１３３ｂが短絡部材収容部１３２にガイドする。したがって、ロック部１３３の損傷が確実に回避される。また、短絡解除用突起部２３１を防ぐことにもなる。
【００５２】
また、コンタクト１１をハウジング１３の左右方向ＤＲに沿って配置し、短絡部材１５をコンタクト１１の下方に配置し、短絡部材１５の接触部１５３のロック部１３３側端部とロック部１３３の切欠部１３３ａとをほぼハウジング１３の前後方向ＤＦに沿って並べたので、ロック部１３３の弾性変形を許容するスペースと短絡部材１５を収容するスペースとをハウジング１３の高さ方向ＤＨで重ならないようにすることができた。したがって、コネクタ１０を低背化することができる。
【００５３】
更に、短絡部材１５の接触部１５３のロック部１３３側端部とロック部１３３の切欠部１３３ａとを所定の間隔Ｇをおいてほぼハウジング１３の前後方向ＤＦに沿って並べ、短絡部材１５とロック部１３３とが互いに干渉しないようにしたので、コンタクト１１をコンタクト収容部１３１に斜めに挿入して、ロック部１３３が大きく弾性変形したとしても、そのロック部１３３の動きは短絡部材１５のばね部１５２に伝わらない。したがって、ロック部１３３が大きく弾性変形したために短絡部材１５のばね部１５２が塑性変形するのを防ぐことができ、ばね部１５２のばね特性は変化しにくい。
【００５４】
なお、上述の実施形態では、短絡部材１５はハウジング１３の前方から挿入されるが、短絡部材１５をハウジング１３の後方から挿入するようにしてもよい。
【００５５】
また、上述の実施形態では、短絡部材１５は短絡部材収容部１３２に圧入されているが、短絡部材１５をハウジング１３に固定する方法は圧入に限られない。
【００５６】
なお、上述の実施形態では、コンタクト１１は相手側コネクタ２０のピンコンタクト２１を受け容れるソケット型であるが、コンタクト１１はソケット型に限られず、ピン型でもよい。
【００５７】
また、上述の実施形態では、短絡部材収容部１３２をコンタクト収容部１３１の下方に配置したが、短絡部材収容部１３２をコンタクト収容部１３１の上方に配置してもよい。
【符号の説明】
【００５８】
１０：コネクタ、１１：コンタクト、１１１：ソケット部、１１１ａ：角筒部、１１２：結線部、１１３：連結部、１１３ａ：ストッパ片、１１３ｂ：突出片、１１４：接触部、１１４ａ：主接触部、１１４ｂ：副接触部、１１４ｃ：連結部、１３：ハウジング、１３ａ：前面、１３１：コンタクト収容部、１３２：短絡部材収容部、１３３：ロック部、１３３ａ：切欠部、１３３ｂ：ガイド面（導く面）、１３４：孔、１３４ａ：誘い面、１３５：リテーナ本体収容部、１３６：ストッパ部収容部、１５：短絡部材、１５１：固定部、１５２：ばね部、１５３：接触部、１７：リテーナ、１７１：リテーナ本体、１７１ａ：孔、１７２：ストッパ部、１８：ケーブル、２０：相手側コネクタ、２１：ピンコンタクト、２３：ハウジング、２３１：短絡解除用突起部、Ｇ：所定の間隔、ＤＲ：左右方向、ＤＦ：前後方向、ＤＨ：高さ方向。
【図１】
0005877554.tif 000002
【図２】
0005877554.tif 000003
【図３】
0005877554.tif 000004
【図４】
0005877554.tif 000005
【図５】
0005877554.tif 000006
【図６】
0005877554.tif 000007
【図７】
0005877554.tif 000008
【図８】
0005877554.tif 000009
【図９】
0005877554.tif 000010
【図１０】
0005877554.tif 000011
【図１１】
0005877554.tif 000012
【図１２】
0005877554.tif 000013
【図１３】
0005877554.tif 000014
【図１４】
0005877554.tif 000015
【図１５】
0005877554.tif 000016
【図１６】
0005877554.tif 000017
【図１７】
0005877554.tif 000018